(57)【要約】【課題】コンテンツの検索時における検索効率を高める。【解決手段】検索装置には、各種指示が入力される操作部と、多数のコンテンツの再生データを記憶する外部機器に接続されて、当該外部機器内のコンテンツリスト及び再生データを取得する通信部と、通信部により取得された再生データを再生する再生部と、操作部からの操作内容に基づいて再生部及び通信部を制御する制御部とが備えられている。制御部は、操作部からスキャン再生指示が入力された場合には、通信部により取得されたコンテンツリストのコンテンツに対して、操作部から入力された所定の条件で絞込みを行い、当該絞込みの結果が所定数以下である場合には通信部を制御して、所定数以下となったコンテンツ群の再生データを取得させてから、再生部を制御して、取得したコンテンツ群の再生データを冒頭部分のみ所定時間だけ再生させる。【選択図】図２
2007241938.tif 000002
【特許請求の範囲】
【請求項１】
各種指示が入力される操作部と、
多数のコンテンツの再生データを再生する再生部と、
前記操作部からの操作内容に基づいて前記再生部を制御する制御部とを備え、
前記制御部は、前記操作部からスキャン再生指示が入力された場合には、
前記多数のコンテンツのコンテンツリストに対して、前記操作部から入力された所定の条件で前記コンテンツの絞込みを行い、当該絞込みの結果が所定数以下である場合には前記所定数以下となったコンテンツ群の再生データを基に、前記再生部を制御して、前記コンテンツ群の再生データを冒頭部分のみ所定時間だけ再生させることを繰り返すことを特徴とする検索装置。
【請求項２】
請求項１記載の検索装置において、
前記所定の条件には、前記コンテンツリストを所定の順序で並び替えることが含まれていることを特徴とする検索装置。
【請求項３】
請求項１記載の検索装置において、
前記所定の条件には、前記コンテンツリストをキーワードにより絞り込むことが含まれていることを特徴とする検索装置。
【請求項４】
請求項１〜３の何れか一項に記載の検索装置において、
前記操作部は、前記所定数を設定可能であることを特徴とする検索装置。
【請求項５】
請求項１〜４の何れか一項に記載の検索装置において、
前記操作部は、前記所定時間を設定可能であることを特徴とする検索装置。
【請求項６】
多数のコンテンツのコンテンツリストを取得するリスト取得工程と、
前記リスト取得工程で取得したコンテンツリストのコンテンツに対して、操作部から入力された所定の条件で絞込みを行い、当該絞込みの結果が所定数以下である場合には当該所定数以下となったコンテンツ群の再生データを取得するデータ取得工程と、
前記データ取得工程で取得したコンテンツ群の再生データを冒頭部分のみ所定時間だけ再生させることを繰り返すスキャン再生工程とを有することを特徴とする検索方法。
【発明の詳細な説明】
【技術分野】
【０００１】
本発明は、検索装置及び検索方法に関する。
【背景技術】
【０００２】
従来、サーバに複数の再生装置（以下、クライアントという。）を接続したネットワークシステムが開発されている。ネットワークシステムでは、動画、音楽、静止画などのコンテンツをサーバで管理していて、各クライアントがサーバと通信することで各コンテンツを再生できるようになっている。つまり、例えばＤＶＤや、ＣＤなどのようなコンテンツを記憶した記憶媒体を各クライアントで読み込まなくとも、様々なコンテンツを再生することができるのである。通常の場合、ネットワーク上のクライアントからは、サーバ上のコンテンツリストが閲覧可能になっている。
【０００３】
クライアントは、サーバ内のコンテンツを検索する検索装置として機能するようになっているために、直接クライアントからサーバ内のコンテンツを検索することができる。検索時においては、各コンテンツの冒頭部分のみを再生するスキャン再生を実行することで、ユーザが要望するコンテンツを特定できるようになっている。検索効率を高めるために、近年では、ＴＯＣ情報を基に分類されたグループ毎にスキャン再生を実行する検索装置が開発されている（例えば特許文献１参照）。また、グループに分類する以外にも、特定のキーワードにより絞込みを行った後に、スキャン再生を実行する検索装置も開発されている。
【特許文献１】特開２００３−１３２６５９号公報
【発明の開示】
【発明が解決しようとする課題】
【０００４】
しかしながら、同じグループ内に多数のコンテンツがある場合や、絞込み後においても多数のコンテンツがある場合には、スキャン再生によって特定のコンテンツを検索する際に長時間視聴しなければならないこともあり、必ずしも検索効率が高いものではなかった。
【０００５】
本発明の課題は、コンテンツの検索時における検索効率を高めることである。
【課題を解決するための手段】
【０００６】
請求項１記載の発明における検索装置は、
各種指示が入力される操作部と、
多数のコンテンツの再生データを再生する再生部と、
前記操作部からの操作内容に基づいて前記再生部を制御する制御部とを備え、
前記制御部は、前記操作部からスキャン再生指示が入力された場合には、
前記多数のコンテンツのコンテンツリストに対して、前記操作部から入力された所定の条件で前記コンテンツの絞込みを行い、当該絞込みの結果が所定数以下である場合には前記所定数以下となったコンテンツ群の再生データを基に、前記再生部を制御して、前記コンテンツ群の再生データを冒頭部分のみ所定時間だけ再生させることを繰り返すことを特徴としている。
【０００７】
請求項２記載の発明は、請求項１記載の検索装置において、
前記所定の条件には、前記コンテンツリストを所定の順序で並び替えることが含まれていることを特徴としている。
【０００８】
請求項３記載の発明は、請求項１記載の検索装置において、
前記所定の条件には、前記コンテンツリストをキーワードにより絞り込むことが含まれていることを特徴としている。
【０００９】
請求項４記載の発明は、請求項１〜３の何れか一項に記載の検索装置において、
前記操作部は、前記所定数を設定可能であることを特徴としている。
【００１０】
請求項５記載の発明は、請求項１〜４の何れか一項に記載の検索装置において、
前記操作部は、前記所定時間を設定可能であることを特徴としている。
【００１１】
請求項６記載の発明における検索方法は、
多数のコンテンツのコンテンツリストを取得するリスト取得工程と、
前記リスト取得工程で取得したコンテンツリストのコンテンツに対して、操作部から入力された所定の条件で絞込みを行い、当該絞込みの結果が所定数以下である場合には当該所定数以下となったコンテンツ群の再生データを取得するデータ取得工程と、
前記データ取得工程で取得したコンテンツ群の再生データを冒頭部分のみ所定時間だけ再生させることを繰り返すスキャン再生工程とを有することを特徴としている。
【発明の効果】
【００１２】
本発明によれば、コンテンツリストのコンテンツが所定の条件で絞り込まれて、当該絞込みの結果が所定数以下であると、スキャン再生が実行されるので、スキャン再生時の視聴時間が長時間となることを防止でき、検索効率が高められることになる。
【発明を実施するための最良の形態】
【００１３】
［第１の実施の形態］
以下、図面を参照しつつ、本発明に係る第１の実施の形態について説明する。図１は、本実施形態のネットワークシステム１を示す説明図である。図１に示すように、ネットワークシステム１には、コンテンツの再生データを再生する再生装置２と、多数のコンテンツの再生データを記憶するとともに、当該再生データを再生装置２に出力する外部機器としてのサーバＳと、サーバＳから出力されたコンテンツリストや再生データを送り先となる再生装置２に割り振るルータ４とが備えられている。
【００１４】
図２は、再生装置２の概略構成を表すブロック図である。図２に示すように、再生装置２には、各種指示が入力される操作部５と、操作部５に入力された指示（コントロールデータ）をサーバＳに送信するとともに、ルータ４を介してサーバＳから入力されたコンテンツリスト及び再生データを取得する通信部６と、通信部６で取得した再生データを復号化するデコーダ７と、デコーダ７により復号化された再生データのうち、音楽データを受信し再生するＤＩＲ（デジタルインターフェイスレシーバ）８と、デコーダ７により復号化された再生データのうち、映像データを受信し再生するＶＩＤＥＯ制御部９と、操作部５に対する指示に基づいてＤＩＲ８、ＶＩＤＥＯ制御部９及び通信部６を制御する制御部１０と、種々の情報を表示する表示部１１と、制御部１０の制御に基づいて表示部１１を制御する表示制御マイコン１２と、ＤＩＲ８からの出力信号に対して音声処理を施すオーディオＤＳＰ１３と、オーディオＤＳＰ１３から出力された音声信号を増幅するアンプ部１４と、アンプ部１４により増幅された音声信号を出力するスピーカ１５とが設けられている。
【００１５】
操作部５は、例えば再生装置２本体に設けられた操作キーや、リモコンの操作キーなどである。操作部５に入力される各種指示には、例えば、再生指示、一時停止指示、サーバＳ内にある複数のコンテンツの再生データの一覧を表示するためのコンテンツリスト表示指示、コンテンツリスト内の再生データを選択するためのコンテンツ選択指示、サーバＳ内にある複数のコンテンツを検索するためのスキャン再生指示、スキャン再生時のコンテンツに対する絞込み条件を入力するための条件入力指示などが挙げられる。
【００１６】
そして、操作部５の各操作キーには、例えば、再生指示用のＰＬＡＹキー、一時停止指示用のＳＴＯＰキー、スキャン再生指示用のＳＥＡＲＣＨキー、条件入力指示用の上下左右キー、各指示確定用のＥＮＴＥＲキー、前の指示に戻るためのＲＥＴＵＲＮキーなどが設けられている。
【００１７】
通信部６には、ルータ４に接続される入出力端子６１と、制御部１０の制御に基づいて入出力端子６１により各種データ（コントロールデータや、再生データ）を通信させるＬＡＮコントローラ６２とが設けられている。
【００１８】
デコーダ７は、通信部６で受信した再生データを復号化する際に、当該再生データを音楽データと映像データとに分類し、音楽データをＤＩＲ８に出力して映像データをＶＩＤＥＯ制御部９に出力するようになっている。
【００１９】
ＤＩＲ８は、デコーダ７を介して入力されたコントロールデータに基づいて音声データを再生し、オーディオＤＳＰ１３に出力する。
ＶＩＤＥＯ制御部９は、制御部１０からのコントロールデータに基づいて映像データを再生し、外部機器であるモニタＭに出力する。つまり、ＤＩＲ８及びＶＩＤＥＯ制御部９が本発明に係る再生部である。
【００２０】
制御部１０は、ＣＰＵ、ＲＡＭ、ＲＯＭなどから構成されていて、操作部５からの指示に基づきＣＰＵがＲＯＭ内の制御プログラムをＲＡＭに展開・実行することで各部を制御するようになっている。
【００２１】
具体的には、制御部１０は、操作部５からコンテンツリスト表示指示が入力されると、通信部６を制御してコンテンツリスト要求をサーバＳに出力する。これに伴ってサーバＳからコンテンツリストが出力されて、通信部６で受信すると、制御部１０はＶＩＤＥＯ制御部９を制御してモニタＭにコンテンツリストを表示させる。
【００２２】
また、制御部１０は、操作部５からコンテンツ選択指示が入力されると、通信部６を制御してコンテンツ特定指示をサーバＳに出力する。
【００２３】
そして、制御部１０は、操作部５から特定されたコンテンツに対して再生指示が入力されると、通信部６を制御して、再生指示をサーバＳに出力した後、ＤＩＲ８及びＶＩＤＥＯ制御部９を制御して、サーバＳから入力された再生データを再生する。
【００２４】
また、制御部１０は、再生後に操作部５から一時停止指示が入力されると、通信部６を制御して、一時停止指示とともに一時停止情報をサーバＳに出力する。
【００２５】
また、制御部１０は、操作部５から条件入力指示が入力されると、入力された条件をスキャン再生前の絞込み条件として記憶する。
【００２６】
そして、制御部１０は、操作部５からスキャン再生指示が入力されると、通信部６により取得されたコンテンツリストのコンテンツに対して、操作部５から入力された所定の条件で絞込みを行う。そして制御部１０は、絞込みの結果が所定数未満である場合には通信部６を制御して、所定数未満となったコンテンツ群の再生データをサーバＳから取得させてから、ＤＩＲ８及びＶＩＤＥＯ制御部９を制御して、取得したコンテンツ群の再生データを自動で冒頭部分のみ所定時間だけ再生させる。
【００２７】
図３は、サーバＳの概略構成を表すブロック図である。図３に示すように、サーバＳには、複数のコンテンツの再生データを記憶する記憶部２０と、複数の再生装置２それぞれの通信部６と通信する通信部２１と、記憶部２０内の再生データを読み出し、通信部２１から出力させる読出部２２と、複数の再生装置２それぞれの電源状態を検出する検出部２３と、通信部２１に入力された操作部５からの指示及び検出部２３の検出結果に基づいて読出部２２及び通信部２１を制御する制御部２４とが設けられている。
【００２８】
制御部２４は、ＣＰＵ、ＲＡＭ、ＲＯＭなどから構成されていて、通信部２１に入力された指示に基づきＣＰＵがＲＯＭ内の制御プログラムをＲＡＭに展開・実行することで各部を制御するようになっている。
【００２９】
制御部２４は、通信部２１にコンテンツリスト要求が入力されると、記憶部２０内の全コンテンツの再生データリストを作成し、通信部２１を制御して再生装置２に出力する。
【００３０】
また、制御部２４は、通信部２１にコンテンツ特定指示が入力されると、そのコンテンツの再生データを記憶部２０内から選択し、再生対象として認識する。
【００３１】
制御部２４は、通信部２１に再生指示が入力されると、読出部２２及び通信部２１を制御して、記憶部２０内の再生対象となる再生データを先頭から読み出させながら再生装置２に出力する。
【００３２】
制御部２４は、通信部２１に一時停止指示が入力されると、読出部２２及び通信部２１を制御して、再生データの読み出しを停止させる。
【００３３】
制御部２４は、通信部２１にスキャン再生指示が入力されると、読出部２２及び通信部２１を制御して、再生装置２により絞り込まれたコンテンツ群の再生データを読み出させながら再生装置２に出力する。
【００３４】
次に、本実施形態の再生装置で実現される検索方法について説明する。
まず、サーバＳ内のコンテンツの絞込み時における全体の流れについて説明する。図４はコンテンツの絞込み時における全体構成を表す説明図である。この図４に示すように絞込みの第一段階としてはカテゴリ（ＭＯＶＩＥ、ＭＵＳＩＣ、ＰＨＯＴＯ）が絞り込まれる。
ＭＯＶＩＥに絞り込まれた場合には、ＭＯＶＩＥのコンテンツ群からジャンル別に絞り込まれた後に、シリーズ別に絞り込まれることになる。
ＭＵＳＩＣに絞り込まれた場合には、ＭＵＳＩＣのコンテンツ群からジャンル別に絞り込まれた後に、アーティスト別、アルバム別に絞り込まれることになる。
ＰＨＯＴＯに絞り込まれた場合には、ＰＨＯＴＯのコンテンツ群からアルバム別に絞り込まれることになる。
この絞込み時においては、ＭＯＶＩＥ、ＭＵＳＩＣ、ＰＨＯＴＯ、ジャンル名、シリーズ名、アーティスト名、アルバム名が絞り込み時のキーワードとして用いられることになる。
【００３５】
以下、各制御工程について具体的に説明する。
図５は、スキャン再生時における制御工程を表したフローチャートである。スキャン再生前においては、制御部１０は通信部６を制御してサーバＳに格納されているコンテンツのコンテンツリストを取得し、ＶＩＤＥＯ制御部９を制御して、図６に示すようなコンテンツリストが表示された表示画面Ｇ１をモニタＭ上に表示させている（リスト取得工程）。その後、図５に示すように、ステップＳ１では、制御部１０は操作部５のＳＥＲＣＨキーに対して入力操作があったか否かを判断し、入力操作があった場合にはステップＳ２に移行して、入力操作がない場合にはその状態で待機する。
【００３６】
ステップＳ２では、制御部１０はＶＩＤＥＯ制御部９を制御してモニタＭ上に、カテゴリの選択画面（図７参照）を表示させる。図７の選択画面Ｄ２では、ＭＯＶＩＥ、ＭＵＳＩＣ、ＰＨＯＴＯを選択できるようになっている。
【００３７】
そして図５に示すように、ステップＳ３では、制御部１０は、操作部５の上下キーに対して入力操作があったか否かを判断し、上下キーの入力がない場合にはステップＳ５に移行して、入力がある場合にはステップＳ４に移行する。
【００３８】
ステップＳ４では、制御部１０は、上下キーに対する入力操作に伴って、ＶＩＤＥＯ制御部９を制御して、選択されたカテゴリに移動し当該カテゴリを強調して表示させる。例えば、図７の選択画面Ｄ２では、ＭＯＶＩＥが選択されているために、ＭＯＶＩＥ欄が強調表示されている。
【００３９】
図５に示すように、ステップＳ５では、制御部１０は、ＥＮＴＥＲキーに対して入力操作があったか否かを判断し、入力操作がない場合にはステップＳ３に移行して、入力操作がある場合にはステップＳ６に移行する。
【００４０】
ステップＳ６では、制御部１０はカテゴリとしてＭＯＶＩＥが選択されているか否かを判断し、選択されている場合にはステップＳ７に移行して、選択されていない場合にはステップＳ２０に移行する。
【００４１】
ステップＳ７では、制御部１０はＶＩＤＥＯ制御部９を制御して、ＭＯＶＩＥのコンテンツ群を絞り込むためのジャンルを選択する選択画面（図８参照）をモニタＭ上に表示させる。図８の選択画面Ｄ３では、ジャンルを絞り込むためのキーワード（例えば、ＳＦ、アクション・アドベンチャー、アニメ、コメディ、サスペンス、ドキュメンタリー等）が表示されている。
【００４２】
図５に示すようにステップＳ８では、制御部１０は、操作部５の上下キーに対して入力操作があったか否かを判断し、上下キーの入力がない場合にはステップＳ１０に移行して、入力がある場合にはステップＳ９に移行する。
【００４３】
ステップＳ９では、制御部１０は、上下キーに対する入力操作に伴って、ＶＩＤＥＯ制御部９を制御して、選択されたジャンルに移動し当該ジャンルを強調して表示させる。例えば、図８の選択画面Ｄ３ではアクション・アドベンチャーが選択されている場合を表している。
【００４４】
図５に示すように、ステップＳ１０では、制御部１０はＥＮＴＥＲキーに対して入力操作があったか否かを判断し、入力操作がない場合にはステップＳ１８に移行して、入力操作がある場合にはステップＳ１１に移行する。
【００４５】
ステップＳ１１では、制御部１０は、選択されたジャンル内のコンテンツを解析する。
ステップＳ１２では、制御部１０は、ＶＩＤＥＯ制御部９を制御して、解析により得られたジャンル内のシリーズツリストをモニタＭ上に表示させる。図９の選択画面Ｄ４では、シリーズを絞り込むためのキーワードとしてのシリーズ名（例えば、「○○○物語」、「ＨＥＲＯ○△△」、「Ｘ●●作戦」、「インディ□□冒険」、「キル▲▲」、「グレート■■」等）が表示されている。
【００４６】
ステップＳ１３では、制御部１０は、操作部５の上下キーに対して入力操作があったか否かを判断し、上下キーの入力がない場合にはステップＳ１５に移行して、入力がある場合にはステップＳ１４に移行する。
【００４７】
ステップＳ１４では、制御部１０は、上下キーに対する入力操作に伴って、ＶＩＤＥＯ制御部９を制御して、選択されたシリーズに移動し当該シリーズを強調して表示させる。例えば、図９の選択画面Ｄ４では「○○○物語」が選択されている場合を表している。
【００４８】
ステップＳ１５では、制御部１０はＥＮＴＥＲキーに対して入力操作があったか否かを判断し、入力操作がない場合にはステップＳ１９に移行して、入力操作がある場合にはステップＳ１６に移行する。
【００４９】
ステップＳ１６では、制御部１０は選択されたシリーズ内のコンテンツを解析する。
ステップＳ１７では、制御部１０は、ＶＩＤＥＯ制御部９を制御して、解析により得られたシリーズ内のコンテンツリストをモニタＭ上に表示させて、ステップＳ４７に移行する。
【００５０】
ステップＳ１８では、制御部１０はＲＥＴＵＲＮキーに対して入力操作があったか否かを判断し、入力操作がない場合にはステップＳ８に移行して、入力操作がある場合にはステップＳ２移行する。
【００５１】
ステップＳ１９では、制御部１０はＲＥＴＵＲＮキーに対して入力操作があったか否かを判断し、入力操作がない場合にはステップＳ１３に移行して、入力操作がある場合にはステップＳ７移行する。
【００５２】
図１０に示すように、ステップＳ２０では、制御部１０はカテゴリとしてＭＵＳＩＣが選択されているか否かを判断し、選択されている場合にはステップＳ２１に移行して、選択されていない場合にはステップＳ４０に移行する。
【００５３】
ステップＳ２１では、制御部１０はＶＩＤＥＯ制御部９を制御して、ＭＵＳＩＣのコンテンツ群を絞り込むためのジャンルを選択する選択画面をモニタＭ上に表示させる。
【００５４】
ステップＳ２２では、制御部１０は、操作部５の上下キーに対して入力操作があったか否かを判断し、上下キーの入力がない場合にはステップＳ２４に移行して、入力がある場合にはステップＳ２３に移行する。
【００５５】
ステップＳ２３では、制御部１０は、上下キーに対する入力操作に伴って、ＶＩＤＥＯ制御部９を制御して、選択されたジャンルに移動し当該ジャンルを強調して表示させる。
【００５６】
ステップＳ２４では、制御部１０はＥＮＴＥＲキーに対して入力操作があったか否かを判断し、入力操作がない場合にはステップＳ３７に移行して、入力操作がある場合にはステップＳ２５に移行する。
【００５７】
ステップＳ２５では、制御部１０は、選択されたジャンル内のコンテンツを解析する。
ステップＳ２６では、制御部１０は、ＶＩＤＥＯ制御部９を制御して、解析により得られたジャンル内のアーティストリストをモニタＭ上に表示させる。
【００５８】
ステップＳ２７では、制御部１０は、操作部５の上下キーに対して入力操作があったか否かを判断し、上下キーの入力がない場合にはステップＳ２９に移行して、入力がある場合にはステップＳ２８に移行する。
【００５９】
ステップＳ２８では、制御部１０は、上下キーに対する入力操作に伴って、ＶＩＤＥＯ制御部９を制御して、選択されたアーティストに移動し当該シリーズを強調して表示させる。
【００６０】
ステップＳ２９では、制御部１０はＥＮＴＥＲキーに対して入力操作があったか否かを判断し、入力操作がない場合にはステップＳ３８に移行して、入力操作がある場合にはステップＳ３０に移行する。
【００６１】
ステップＳ３０では、制御部１０は選択されたアーティストのコンテンツを解析する。
ステップＳ３１では、制御部１０は、ＶＩＤＥＯ制御部９を制御して、解析により得られたアーティスト内のアルバムリストをモニタＭ上に表示させる。
【００６２】
ステップＳ３２では、制御部１０は、操作部５の上下キーに対して入力操作があったか否かを判断し、上下キーの入力がない場合にはステップＳ３４に移行して、入力がある場合にはステップＳ３３に移行する。
【００６３】
ステップＳ３３では、制御部１０は、上下キーに対する入力操作に伴って、ＶＩＤＥＯ制御部９を制御して、選択されたアルバムに移動し当該アルバムを強調して表示させる。
【００６４】
ステップＳ３４では、制御部１０はＥＮＴＥＲキーに対して入力操作があったか否かを判断し、入力操作がない場合にはステップＳ３９に移行して、入力操作がある場合にはステップＳ３５に移行する。
【００６５】
ステップＳ３５では、制御部１０は選択されたアルバムのコンテンツを解析する。
ステップＳ３６では、制御部１０は、ＶＩＤＥＯ制御部９を制御して、解析により得られたアルバムト内のコンテンツリストをモニタＭ上に表示させて、ステップＳ４７に移行する。
【００６６】
ステップＳ３７では、制御部１０はＲＥＴＵＲＮキーに対して入力操作があったか否かを判断し、入力操作がない場合にはステップＳ２２に移行して、入力操作がある場合にはステップＳ２移行する。
【００６７】
ステップＳ３８では、制御部１０はＲＥＴＵＲＮキーに対して入力操作があったか否かを判断し、入力操作がない場合にはステップＳ２６に移行して、入力操作がある場合にはステップＳ２１移行する。
【００６８】
ステップＳ３９では、制御部１０はＲＥＴＵＲＮキーに対して入力操作があったか否かを判断し、入力操作がない場合にはステップＳ３２に移行して、入力操作がある場合にはステップＳ２６移行する。
【００６９】
ステップＳ４０では、制御部１０はＶＩＤＥＯ制御部９を制御して、ＰＨＯＴＯのコンテンツ群を絞り込むためのアルバムを選択する選択画面をモニタＭ上に表示させる。
【００７０】
ステップＳ４１では、制御部１０は、操作部５の上下キーに対して入力操作があったか否かを判断し、上下キーの入力がない場合にはステップＳ４３に移行して、入力がある場合にはステップＳ４２に移行する。
【００７１】
ステップＳ４２では、制御部１０は、上下キーに対する入力操作に伴って、ＶＩＤＥＯ制御部９を制御して、選択されたアルバムに移動し当該アルバムを強調して表示させる。
【００７２】
ステップＳ４３では、制御部１０はＥＮＴＥＲキーに対して入力操作があったか否かを判断し、入力操作がない場合にはステップＳ４６に移行して、入力操作がある場合にはステップＳ４４に移行する。
【００７３】
ステップＳ４４では、制御部１０は、選択されたアルバム内のコンテンツを解析する。
ステップＳ４５では、制御部１０は、ＶＩＤＥＯ制御部９を制御して、解析により得られたアルバム内のコンテンツリストをモニタＭ上に表示させて、ステップＳ４７に移行する。
【００７４】
ステップＳ４６では、制御部１０はＲＥＴＵＲＮキーに対して入力操作があったか否かを判断し、入力操作がない場合にはステップＳ４１に移行して、入力操作がある場合にはステップＳ２に移行する。
【００７５】
図１１に示すように、ステップＳ４７では、制御部１０は絞り込まれたコンテンツ数が所定数以下である場合（例えば図１２の選択画面Ｄ５に示すようにコンテンツ数が６以下の場合）にはステップＳ５２に移行して、所定数を超えている場合（例えば図１３の選択画面Ｄ６に示すようにコンテンツ数が６を超えている場合）にはステップＳ４８に移行する。
【００７６】
ステップＳ４８では、ＶＩＤＥＯ制御部９を制御して、絞込み後においても所定数を超えるコンテンツをスキャン再生するか否かを選択する選択画面（図１３参照）をモニタＭ上に表示させる。図１３の選択画面Ｄ６では、ＹＥＳ欄ｄ１とＮＯ欄ｄ２とが設けられている。
【００７７】
ステップＳ４９では、制御部１０は、操作部５の左右キーに対して入力操作があったか否かを判断し、左右キーに対して入力操作がない場合にはステップＳ５１に移行して、入力がある場合にはステップＳ５０に移行する。
【００７８】
ステップＳ５０では、制御部１０は、左右キーに対する入力操作に伴って、ＶＩＤＥＯ制御部９を制御して、選択されたＹＥＳ欄ｄ１若しくはＮＯ欄ｄ２を強調して表示させる。例えば図１３の選択画面Ｄ６では、ＹＥＳ欄ｄ１が選択されている場合を表している。
【００７９】
ステップＳ５１では、制御部１０はＥＮＴＥＲキーに対して入力操作があったか否かを判断し、入力操作がない場合にはステップＳ５３に移行して、入力操作がある場合にはステップＳ５２に移行する。
【００８０】
ステップＳ５２では、制御部１０はＥＮＴＥＲキーの入力時にＹＥＳ欄ｄ１が選択されていたか否かを判断して、選択されていた場合にはステップＳ５３に移行して、選択されていない場合にはステップＳ７０に移行する。
【００８１】
ステップＳ５３では、制御部１０はスキャン再生移行タイマを設定する。
ステップＳ５４では、制御部１０はスキャン再生移行タイマがタイムアップしたか否かを判断し、タイムアップしていない場合にはその状態を維持し、タイムアップした場合にはステップＳ５５に移行する。
【００８２】
ステップＳ５５では、制御部１０は通信部６を制御して、絞込み後のコンテンツ群の再生データをサーバＳから取得させてから、ＤＩＲ８及びＶＩＤＥＯ制御部９を制御して、取得したコンテンツ群の再生データを冒頭部分のみ所定時間だけ再生させることを繰り返すスキャン再生を開始する。このとき、制御部１０はＶＩＤＥＯ制御部９を制御して、モニタＭ上にＳＥＡＲＣＨ表示画面を表示している（図１４参照）。図１４に示すＳＥＡＲＣＨ表示画面Ｄ７は、スキャン再生中のコンテンツの各種情報が表示される情報表示欄ｄ３と、スキャン再生中の動画コンテンツが表示される動画表示欄ｄ４とを備えている。このように、ステップＳ３〜ステップＳ５５までで、コンテンツリストのコンテンツに対して、操作部５から入力された所定の条件で絞込みを行い、当該絞込みの結果が所定数以下である場合には当該所定数以下となったコンテンツ群の再生データをサーバＳから通信部６を介して取得しているので、これらステップＳ３〜ステップＳ５５が本発明に係るデータ取得工程である。
【００８３】
ステップＳ５６では、制御部１０は、前記所定時間を延長するための延長キーに対して入力操作があったか否かを判断し、入力操作があった場合にはステップＳ５７に移行して、入力操作がない場合にはステップＳ５８に移行する。
【００８４】
ステップＳ５７では、制御部１０は、所定時間を延長更新してステップＳ５７に移行する。
【００８５】
ステップＳ５８では、制御部１０は、所定時間がタイムアップとなったか否かを判断して、タイムアップした場合にはステップＳ６０に移行して、タイムアップしていない場合にはステップＳ５９に移行する。
【００８６】
ステップＳ５９では、制御部１０は、スキャン再生対象を次コンテンツに切り替えるためのＳＫＩＰ  ＵＰキーに対して入力操作があったか否かを判断し、入力操作があった場合にはステップＳ６０に移行して、入力操作がない場合にはステップＳ６２に移行する。
【００８７】
ステップＳ６０では、制御部１０は、絞り込まれたコンテンツリスト中に次のコンテンツがあるか否かを判断し、次のコンテンツがある場合にはステップＳ６１に移行して、次のコンテンツがない場合にはステップＳ６２に移行する。
【００８８】
ステップＳ６１では、制御部１０は、ＤＩＲ８及びＶＩＤＥＯ制御部９を制御して、次のコンテンツの再生データを再生させて、ステップＳ５６に移行する。
【００８９】
ステップＳ６２では、制御部１０は、ＤＩＲ８及びＶＩＤＥＯ制御部９を制御して、コンテンツリスト中の先頭のコンテンツの再生データを再生させて、ステップＳ５６に移行する。
【００９０】
ステップＳ６３では、制御部１０は、スキャン再生対象を前コンテンツに切り替えるためのＳＫＩＰ  ＤＯＷＮキーに対して入力操作があったか否かを判断し、入力操作があった場合にはステップＳ６４に移行して、入力操作がない場合にはステップＳ６６に移行する。
【００９１】
ステップＳ６４では、制御部１０は、絞り込まれたコンテンツリスト中に前のコンテンツがあるか否かを判断し、前のコンテンツがある場合にはステップＳ６５に移行して、前のコンテンツがない場合にはステップＳ５６に移行する。
【００９２】
ステップＳ６５では、制御部１０は、ＤＩＲ８及びＶＩＤＥＯ制御部９を制御して、コンテンツリスト中の前のコンテンツの再生データを再生させて、ステップＳ５６に移行する。
【００９３】
ステップＳ６６では、制御部１０は、ＳＥＲＣＨキーに対して入力操作があったか否かを判断し、入力操作があった場合にはステップＳ７０に移行して、入力操作がない場合にはステップＳ６７に移行する。
【００９４】
ステップＳ６７では、制御部１０は、ＥＮＴＥＲキーに対して入力操作があったか否かを判断し、入力操作がない場合にはステップＳ５６に移行して、入力操作がある場合にはステップＳ６８に移行する。
【００９５】
ステップＳ６８では、制御部１０はＶＩＤＥＯ制御部９を制御して、ＳＥＡＲＣＨ表示画面の表示を終了させる。
【００９６】
ステップＳ６９では、制御部１０はＶＩＤＥＯ制御部９を制御して、現在再生中のコンテンツを先頭から通常再生し、スキャン再生を終了する。通常再生時であるとモニタＭ上には、情報表示欄ｄ３が消去された再生画面が表示されることになる。
【００９７】
ステップＳ７０では、制御部１０はＶＩＤＥＯ制御部９を制御して、ＳＥＡＲＣＨ表示画面の表示を終了させて、スキャン再生を終了する。このようにステップＳ５６〜ステップＳ７０が、データ取得工程で取得したコンテンツ群の再生データを冒頭部分のみ所定時間だけ再生させることを繰り返しているので、これらステップＳ５６〜ステップＳ６８が本発明に係るスキャン再生工程である。
【００９８】
以上のように、本実施形態によれば、コンテンツリストのコンテンツがキーワードで絞り込まれて、当該絞込みの結果が所定数以下であると、スキャン再生が実行されるので、スキャン再生時の視聴時間が長時間となることを防止でき、検索効率が高められることになる。
【００９９】
なお、本発明は上記実施形態に限らず適宜変更可能であるのは勿論である。
例えば、コンテンツの絞込み後にスキャン再生を自動で実行するか否かを判断するための判断基準となるコンテンツ数（所定数）や、スキャン再生時の再生時間（所定時間）を操作部５により設定することも可能である。これらの所定数や所定時間の設定時においては、制御部１０はＶＩＤＥＯ制御部９を制御して、図１５に示す設定画面Ｄ８を表示させる。この設定画面Ｄ８には、上記の所定数である自動再生開始コンテンツ数を設定するための所定数欄ｄ５や、上記の所定時間である自動再生時間を設定するための所定時間欄ｄ６が、ＭＯＶＩＥ、ＭＵＳＩＣ、ＰＨＯＴＯ毎に設けられている。これら各欄ｄ５，ｄ６内の数値を操作部５によって変更することで、所定数や所定時間が設定されることになる。
また、本実施形態では、コンテンツリストや再生データをサーバＳから通信部６を介して取得する場合について説明しているが、例えば検索装置に接続された外部の記憶部や、検索装置自体の記憶部などが、コンテンツリスト及び再生データを記憶しているのであれば、これらの記憶部からコンテンツリストや再生データを取得することも可能である。
【０１００】
また、本実施形態では、カテゴリの絞込み後に、ＭＯＶＩＥであればジャンル、シリーズの順、ＭＵＳＩＣであればジャンル、アーティスト、アルバムの順、ＰＨＯＴＯであればアルバムのみで更なる絞込みが実行される場合を例示して説明したが、絞込みの順番やキーワードはこれら以外であっても適用可能であることはもちろんである。例えば図１６，１７は、より多種類のキーワードで絞込みが行われる際の全体構成を表す説明図である。この図１６，１７に示すように、ＭＯＶＩＥ内のコンテンツを絞り込むキーワードとしてはジャンル、シリーズ、主演、受賞、年代が、ＭＵＳＩＣ内のコンテンツを絞り込むキーワードとしてジャンル、アーティスト、年代、作曲者が、ＰＨＯＴＯ内のコンテンツを絞り込むキーワードとしてアルバム、撮影年月日、カメラメーカーが用いられている。そして、これらのキーワードは如何なる順序で選択されたとしても、コンテンツの絞込みが可能となっている。
【０１０１】
具体的にＭＵＳＩＣ内のコンテンツを絞り込む際の操作手順について説明する。
まず図１８に示すようにカテゴリを選択するためのカテゴリ選択画面Ｅ１がモニタＭ上に表示されて、操作部５からＭＵＳＩＣが選択されると、制御部１０はＶＩＤＥＯ制御部９を制御して、モニタＭ上に図１９に示す選択画面Ｅ２を表示させる。選択画面Ｅ２には、選択項目が表示される項目欄ｅ１と、選択結果が表示される結果欄ｅ２とが設けられている。例えば、選択画面Ｅ２の項目欄ｅ１からジャンルが選択されると、制御部１０は結果欄ｅ２に「ジャンル」が表示されるとともに、項目欄ｅ１にサーバＳ内のコンテンツに対応するジャンルの種類が表示されるように、ＶＩＤＥＯ制御部９を制御する。
その後、ジャンルの種類から何れか１つ（例えばポップス）が選択されると、制御部１０は選択されたジャンル名が結果欄ｅ２に追加表示されるようにＶＩＤＥＯ制御部９を制御する。
【０１０２】
そして、図２０の選択画面Ｅ３のように、選択画面Ｅ２の項目欄ｅ１からアーティストが選択されると、制御部１０は結果欄ｅ２に「アーティスト」が追加表示されるとともに、項目欄ｅ１にサーバＳ内のコンテンツに対応するアーティストの種類が表示されるように、ＶＩＤＥＯ制御部９を制御する。
その後、選択画面Ｅ３のように、アーティストの種類から何れか１つ（例えば、宇○○○○）が選択されると、制御部１０は選択されたアーティスト名が結果欄ｅ２に追加表示されるようにＶＩＤＥＯ制御部９を制御する。
【０１０３】
また、図２１の選択画面Ｅ４のように、選択画面Ｅ２の項目欄ｅ１からアルバムが選択されると、制御部１０は結果欄ｅ２に「アルバム」が追加表示されるとともに、項目欄ｅ１にサーバＳ内のコンテンツに対応するアルバムの種類が表示されるように、ＶＩＤＥＯ制御部９を制御する。
その後、選択画面Ｅ４のように、アルバムの種類から何れか１つ（例えば、Ｕ○△○△  ＶＯＬ１）が選択されると、制御部１０は選択されたアルバム名が結果欄ｅ２に追加表示されるようにＶＩＤＥＯ制御部９を制御する。
【０１０４】
そして、制御部１０は、図２２に示す選択画面Ｅ５のように、選択されたアルバムのコンテンツが項目欄ｅ１に表示されるようにＶＩＤＥＯ制御部９を制御する。このとき、制御部１０はコンテンツ数が所定数以下であると自動でスキャン再生を実行し、コンテンツ数が所定数を超える場合にはユーザからスキャン再生実行指示があれば、スキャン再生を実行する。スキャン再生時においては、制御部１０は、選択画面Ｅ５のように再生中のコンテンツ名が強調表示されるようにＶＩＤＥＯ制御部９を制御する。
【０１０５】
［第２の実施の形態］
第１の実施の形態ではコンテンツリストをキーワードによって絞込む場合を例示して説明したが、この第２の実施形態ではキーワードによって絞り込んだ後、所定の順序で並び替えることでさらなる絞込みを行う場合について説明する。なお、この第２の実施の形態では、第１の実施の形態と同一部分においては同一符号を付してその説明を省略する。
【０１０６】
操作部５に入力される各種指示には、第１の実施の形態で例示した指示の他に、さらに並び替え指示が含まれる。並び替え指示とは、コンテンツリストを所定の順番で並び替える指示である。並び替えとしては、例えばＭＯＶＩＥのコンテンツであると、コンテンツ名の頭文字順での並び替え、ファイル名の頭文字順での並び替え、最近再生したコンテンツ順での並び替えなどがあり、ＭＵＳＩＣのコンテンツであるとコンテンツ名の頭文字順での並び替え、ファイル名の頭文字順での並び替え、アルバム内の配置順による並び替え、最近再生したコンテンツ順での並び替えなどがあり、ＰＨＯＴＯであると日付順での並び替えや、アルバム内での配置順での並び替え、最近再生したコンテンツ順での並び替えが挙げられる。
【０１０７】
制御部１０は、操作部５から並び替え指示が入力されると、通信部６により取得されたコンテンツリストを並び替えることで、コンテンツの並び替えを実行する。この並び替え後にコンテンツリストの先頭から所定数未満となるコンテンツ群の再生データをサーバＳから取得させてから、ＤＩＲ８及びＶＩＤＥＯ制御部９を制御して、取得したコンテンツ群の再生データを自動で冒頭部分のみ所定時間だけ再生させる。
【０１０８】
次に、本実施形態の作用について説明する。
図２３は、スキャン再生時における制御工程を表したフローチャートである。なお、このスキャン再生の前には、操作部５から基準となる並び替え指示が入力されていて、この並び替え指示に基づいて制御部１０は、キーワードによる絞込み後のコンテンツリストを並び替える。
【０１０９】
また、スキャン再生前においては図２４に示すようにモニタＭの表示画面Ｆ１にはコンテンツリストが表示されている。その後、図２３に示すように、ステップＳ２０１では、制御部１０は操作部５のＳＥＲＣＨキーに対して入力操作があったか否かを判断し、入力操作があった場合にはステップＳ２０２に移行して、入力操作がない場合にはその状態で待機する。
【０１１０】
ステップＳ２０２では、制御部１０はサーバＳに対するコンテンツリスト要求工程を実行する。
【０１１１】
ステップＳ２０３では、制御部１０はＶＩＤＥＯ制御部９を制御してモニタＭ上に、カテゴリの選択画面（図２５参照）を表示させる。図２５の選択画面Ｆ２では、ＭＯＶＩＥ、ＭＵＳＩＣ、ＰＨＯＴＯを選択できるようになっている。
【０１１２】
そして図２３に示すように、ステップＳ２０４では、制御部１０は、操作部５の上下キーに対して入力操作があったか否かを判断し、上下キーの入力がない場合にはステップＳ２０６に移行して、入力がある場合にはステップＳ２０５に移行する。
【０１１３】
ステップＳ２０５では、制御部１０は、上下キーに対する入力操作に伴って、ＶＩＤＥＯ制御部９を制御して、選択されたカテゴリに移動し当該カテゴリを強調して表示させる。例えば、図２５の選択画面Ｆ２では、ＭＵＳＩＣが選択されているために、ＭＵＳＩＣ欄が強調表示されている。
【０１１４】
図２３に示すように、ステップＳ２０６では、制御部１０は、ＥＮＴＥＲキーに対して入力操作があったか否かを判断し、入力操作がない場合にはステップＳ２０４に移行して、入力操作がある場合にはステップＳ２０７に移行する。
【０１１５】
ステップＳ２０７では、制御部１０はカテゴリとしてＭＯＶＩＥが選択されているか否かを判断し、選択されている場合にはステップＳ２０８に移行して、選択されていない場合にはステップＳ２２２に移行する。
【０１１６】
ステップＳ２０８では、制御部１０はＶＩＤＥＯ制御部９を制御して、ＭＯＶＩＥのコンテンツ群を絞り込むためのジャンルを選択する選択画面をモニタＭ上に表示させる。
【０１１７】
ステップＳ２０９では、制御部１０は、操作部５の上下キーに対して入力操作があったか否かを判断し、上下キーの入力がない場合にはステップＳ２１１に移行して、入力がある場合にはステップＳ２１０に移行する。
【０１１８】
ステップＳ２１０では、制御部１０は、上下キーに対する入力操作に伴って、ＶＩＤＥＯ制御部９を制御して、選択されたジャンルに移動し当該ジャンルを強調して表示させる。
【０１１９】
ステップＳ２１１では、制御部１０はＥＮＴＥＲキーに対して入力操作があったか否かを判断し、入力操作がない場合にはステップＳ２２０に移行して、入力操作がある場合にはステップＳ２１２に移行する。
【０１２０】
ステップＳ２１２では、制御部１０は、選択されたジャンル内のコンテンツを解析する。
ステップＳ２１３では、制御部１０は、ＶＩＤＥＯ制御部９を制御して、解析により得られたジャンル内のシリーズリストをモニタＭ上に表示させる。
【０１２１】
ステップＳ２１４では、制御部１０は、操作部５の上下キーに対して入力操作があったか否かを判断し、上下キーの入力がない場合にはステップＳ２１６に移行して、入力がある場合にはステップＳ２１５に移行する。
【０１２２】
ステップＳ２１５では、制御部１０は、上下キーに対する入力操作に伴って、ＶＩＤＥＯ制御部９を制御して、選択されたシリーズに移動し当該シリーズを強調して表示させる。
【０１２３】
ステップＳ２１６では、制御部１０はＥＮＴＥＲキーに対して入力操作があったか否かを判断し、入力操作がない場合にはステップＳ２２１に移行して、入力操作がある場合にはステップＳ２１７に移行する。
【０１２４】
ステップＳ２１７では、制御部１０は、「最近再生したコンテンツ」（並び替え条件）が選択されているかを判断し、選択されている場合にはステップＳ２５１に移行して、選択されていない場合にはステップＳ２１８に移行する。
【０１２５】
ステップＳ２１８では、制御部１０は選択されたシリーズ内のコンテンツを解析する。
ステップＳ２１９では、制御部１０は、ＶＩＤＥＯ制御部９を制御して、解析により得られたシリーズ内のコンテンツリストをモニタＭ上に表示させて、ステップＳ２５１に移行する。
【０１２６】
ステップＳ２２０では、制御部１０はＲＥＴＵＲＮキーに対して入力操作があったか否かを判断し、入力操作がない場合にはステップＳ２０８に移行して、入力操作がある場合にはステップＳ２０３移行する。
【０１２７】
ステップＳ２２１では、制御部１０はＲＥＴＵＲＮキーに対して入力操作があったか否かを判断し、入力操作がない場合にはステップＳ２１３に移行して、入力操作がある場合にはステップＳ２０８に移行する。
【０１２８】
図２６に示すように、ステップＳ２２２では、制御部１０はカテゴリとしてＭＵＳＩＣが選択されているか否かを判断し、選択されている場合にはステップＳ２２３に移行して、選択されていない場合にはステップＳ２４３に移行する。
【０１２９】
ステップＳ２２３では、制御部１０はＶＩＤＥＯ制御部９を制御して、ＭＵＳＩＣのコンテンツ群を絞り込むためのジャンルを選択する選択画面をモニタＭ上に表示させる。図２７の選択画面Ｆ３では、ジャンルを絞り込むためのキーワード（例えば、クラシック、ジャズ、ダンス、ポップス、ロック等）と、基準の並び替え順序を所定の順序に切り替えて並び替えるための並び替え条件（例えば最近再生したコンテンツ等）とが表示されている。
【０１３０】
ステップＳ２２４では、制御部１０は、操作部５の上下キーに対して入力操作があったか否かを判断し、上下キーの入力がない場合にはステップＳ２２６に移行して、入力がある場合にはステップＳ２２５に移行する。
【０１３１】
ステップＳ２２５では、制御部１０は、上下キーに対する入力操作に伴って、ＶＩＤＥＯ制御部９を制御して、選択されたジャンルに移動し当該ジャンルを強調して表示させる。例えば、図２７の選択画面Ｆ３ではポップスが選択されている場合を表している。
【０１３２】
ステップＳ２２６では、制御部１０はＥＮＴＥＲキーに対して入力操作があったか否かを判断し、入力操作がない場合にはステップＳ２２７に移行して、入力操作がある場合にはステップＳ２２８に移行する。
【０１３３】
ステップＳ２２７では、制御部１０はＲＥＴＵＲＮキーに対して入力操作があったか否かを判断し、入力操作がない場合にはステップＳ２２４に移行して、入力操作がある場合にはステップＳ２０３に移行する。
【０１３４】
ステップＳ２２８では、制御部１０は、「最近再生したコンテンツ」が選択されているかを判断し、選択されている場合にはステップＳ２５１に移行して、選択されていない場合にはステップＳ２２９に移行する。
【０１３５】
ステップＳ２２９では、制御部１０は、選択されたジャンル内のコンテンツを解析する。
ステップＳ２３０では、制御部１０は、ＶＩＤＥＯ制御部９を制御して、解析により得られたジャンル内のアーティストリストをモニタＭ上に表示させる。図２８の選択画面Ｆ４では、アーティストを絞り込むためのキーワードとしてのアーティスト名（例えば、「ａｉ××」、「ＣＨＥＭ△△△」、「ＥＸＥ○○」、「宇○○○○」、「木▲▲▲▲▲」、「倉▼▼▼」等）が表示されている。
【０１３６】
ステップＳ２３１では、制御部１０は、操作部５の上下キーに対して入力操作があったか否かを判断し、上下キーの入力がない場合にはステップＳ２３３に移行して、入力がある場合にはステップＳ２３２に移行する。
【０１３７】
ステップＳ２３２では、制御部１０は、上下キーに対する入力操作に伴って、ＶＩＤＥＯ制御部９を制御して、選択されたアーティストに移動し当該シリーズを強調して表示させる。例えば、図２８の選択画面Ｆ４では「宇○○○○」が選択されている場合を表している。
【０１３８】
ステップＳ２３３では、制御部１０はＥＮＴＥＲキーに対して入力操作があったか否かを判断し、入力操作がない場合にはステップＳ２３４に移行して、入力操作がある場合にはステップＳ２３５に移行する。
【０１３９】
ステップＳ２３４では、制御部１０はＲＥＴＵＲＮキーに対して入力操作があったか否かを判断し、入力操作がない場合にはステップＳ２２９に移行して、入力操作がある場合にはステップＳ２２３に移行する。
【０１４０】
ステップＳ２３５では、制御部１０は選択されたアーティストのコンテンツを解析する。
ステップＳ２３６では、制御部１０は、ＶＩＤＥＯ制御部９を制御して、解析により得られたアーティスト内のアルバムリストをモニタＭ上に表示させる。図２９の選択画面Ｆ５では、アルバムを絞り込むためのキーワードとしてのアルバム名（例えば、ＤＥＥＰ○○、Ｄｉｓ×××、Ｆ△△△  ＬＯＶＥ、Ｕ○△○△  ＶＯＬ１、エ○○○○等）が表示されている。
【０１４１】
ステップＳ２３７では、制御部１０は、操作部５の上下キーに対して入力操作があったか否かを判断し、上下キーの入力がない場合にはステップＳ２３９に移行して、入力がある場合にはステップＳ２３８に移行する。
【０１４２】
ステップＳ２３８では、制御部１０は、上下キーに対する入力操作に伴って、ＶＩＤＥＯ制御部９を制御して、選択されたアルバムに移動し当該アルバムを強調して表示させる。例えば、図２９の選択画面Ｆ５では「Ｕ○△○△  ＶＯＬ１」が選択されている場合を表している。
【０１４３】
ステップＳ２３９では、制御部１０はＥＮＴＥＲキーに対して入力操作があったか否かを判断し、入力操作がない場合にはステップＳ２４０に移行して、入力操作がある場合にはステップＳ２４１に移行する。
【０１４４】
ステップＳ２４０では、制御部１０はＲＥＴＵＲＮキーに対して入力操作があったか否かを判断し、入力操作がない場合にはステップＳ２３７に移行して、入力操作がある場合にはステップＳ２２９に移行する。
【０１４５】
ステップＳ２４１では、制御部１０は選択されたアルバムのコンテンツを解析する。
ステップＳ２４２では、制御部１０は、ＶＩＤＥＯ制御部９を制御して、解析により得られたアルバムト内のコンテンツリストをモニタＭ上に表示させて、ステップＳ２５１に移行する。
【０１４６】
ステップＳ２４３では、制御部１０はＶＩＤＥＯ制御部９を制御して、ＰＨＯＴＯのコンテンツ群を絞り込むためのアルバムを選択する選択画面をモニタＭ上に表示させる。
【０１４７】
ステップＳ２４４では、制御部１０は、操作部５の上下キーに対して入力操作があったか否かを判断し、上下キーの入力がない場合にはステップＳ２４６に移行して、入力がある場合にはステップＳ２４５に移行する。
【０１４８】
ステップＳ２４５では、制御部１０は、上下キーに対する入力操作に伴って、ＶＩＤＥＯ制御部９を制御して、選択されたアルバムに移動し当該アルバムを強調して表示させる。
【０１４９】
ステップＳ２４６では、制御部１０はＥＮＴＥＲキーに対して入力操作があったか否かを判断し、入力操作がない場合にはステップＳ２５０に移行して、入力操作がある場合にはステップＳ２４７に移行する。
【０１５０】
ステップＳ２４７では、制御部１０は、「最近再生したコンテンツ」が選択されているかを判断し、選択されている場合にはステップＳ２５１に移行して、選択されていない場合にはステップＳ２４８に移行する。
【０１５１】
ステップＳ２４８では、制御部１０は、選択されたアルバム内のコンテンツを解析する。
ステップＳ２４９では、制御部１０は、ＶＩＤＥＯ制御部９を制御して、解析により得られたアルバム内のコンテンツリストをモニタＭ上に表示させて、ステップＳ２５１に移行する。
【０１５２】
ステップＳ２５０では、制御部１０はＲＥＴＵＲＮキーに対して入力操作があったか否かを判断し、入力操作がない場合にはステップＳ２４４に移行して、入力操作がある場合にはステップＳ２０３に移行する。
【０１５３】
図３０に示すようにステップＳ２５１では、並び替え条件が入力されていない場合には基準の並び替え指示の順で、並び替え条件が入力されている場合には並び替え条件に対応する並び順で、コンテンツが並び替えられてモニタＭ上にコンテンツリスト表示されるように、ＶＩＤＥＯ制御部９を制御する。例えば、ＭＵＳＩＣのコンテンツであって、基準の並び替え指示がコンテンツ名の頭文字順での並び替えである場合には、コンテンツ名の頭文字の順でコンテンツリストが表示されることになる（図３１の選択画面Ｆ６参照）。一方、並び替え条件として、「最近再生したコンテンツ」が選択されている場合には最近再生された順でコンテンツリストが表示されることになる。
【０１５４】
また、図３１の選択画面Ｆ６においては、リスト中の全コンテンツを選択するための全選択欄ｆ１、リスト中の全コンテンツの選択状況を解除するための全解除欄ｆ２、リスト中の全コンテンツの選択状況を反転切替するための選択切替欄ｆ３が表示されている。また、各コンテンツには選択状況を表すためのチェック欄ｆ４が設けられており、チェック欄ｆ４が塗りつぶされているときは、選択された状態を表していて、チェック欄ｆ４が塗りつぶされていないときは、選択されていない状態を表している。
【０１５５】
ステップＳ２５２では、制御部１０は、操作部５の上下左右キーに対して入力操作があったか否かを判断し、上下左右キーの入力がない場合にはステップＳ２５４に移行して、入力がある場合にはステップＳ２５７に移行する。
【０１５６】
ステップＳ２５３では、制御部１０は、コンテンツが選択されているか否かを判断し、コンテンツが選択されている場合にはステップＳ２５７に移行して、コンテンツが選択されていない場合にはステップＳ２５４に移行する。
【０１５７】
ステップＳ２５４では、制御部１０は、全選択欄ｆ１が選択されているか否かを判断し、全選択欄ｆ１が選択されている場合にはステップＳ２５７に移行して、全選択欄ｆ１が選択されていない場合にはステップＳ２５５に移行する。
【０１５８】
ステップＳ２５５では、制御部１０は、全解除欄ｆ２が選択されているか否かを判断し、全解除欄ｆ２が選択されている場合にはステップＳ２５７に移行して、全解除欄ｆ２が選択されていない場合にはステップＳ２５６に移行する。
【０１５９】
ステップＳ２５６では、制御部１０は、選択切替欄ｆ３が選択されているか否かを判断し、選択切替欄ｆ３が選択されている場合にはステップＳ２５７に移行して、選択切替欄ｆ３が選択されていない場合にはステップＳ２６８に移行する。
【０１６０】
ステップＳ２５７では、制御部１０はＥＮＴＥＲキーに対して入力操作があったか否かを判断し、入力操作がない場合にはステップＳ２６５に移行して、入力操作がある場合にはステップＳ２５８に移行する。
【０１６１】
ステップＳ２５８では、制御部１０はコンテンツが選択されている場合にはその選択されたコンテンツのみを対象とし、全選択欄ｆ１、全解除欄ｆ２、選択切替欄ｆ３が選択されている場合にはリスト中の全コンテンツを対象として、チェック欄ｆ４が塗りつぶされてチェックありであるか否かを判断する。制御部１０は判断結果がチェックありの場合にはステップＳ２６０に移行し、チャックなしの場合にはステップＳ２５９に移行する。
【０１６２】
ステップＳ２５９では、制御部１０は対象となるコンテンツのチェック欄ｆ４を塗りつぶして、チェックありとし、ステップＳ２６１に移行する。
ステップＳ２６０では、制御部１０は対象となるコンテンツのチェック欄ｆ４を空欄として、チェックなしとし、ステップＳ２６１に移行する。
【０１６３】
ステップＳ２６１では、制御部１０は、対象となる全てのコンテンツのチェック状況を確認したか否かを判断し、確認していない場合にはステップＳ２５８に移行して、確認した場合にはステップＳ２６２に移行する。
【０１６４】
ステップＳ２５２からステップＳ２６２までの一連の工程によって、リスト中の各コンテンツにスキャン再生対象となるか否かが決定される。例えば図３２の選択画面Ｆ７ではコンテンツ（例えば「Ａｄｄｉｃｔ×××」）が選択されてチェックありとなった場合を表している。また、全選択欄ｆ２が選択されて全コンテンツがチェックありとなった場合には、全てのチェック欄ｆ４が塗りつぶされることになる。選択切替欄ｆ３が選択されると、全コンテンツのチェック状態が反転するように切り替えられることになる。
【０１６５】
ステップＳ２６２では、制御部１０は、チェックありとなっているコンテンツがあるか否かを判断し、ある場合にはステップＳ２６３に移行して、ない場合にはステップＳ２６４に移行する。
【０１６６】
ステップＳ２６３では、制御部１０は、ＶＩＤＥＯ制御部９を制御して、再生開始ボタンｆ５をモニタＭ上に表示させて、ステップＳ２５１に移行する。
【０１６７】
ステップＳ２６４では、制御部１０は、ＶＩＤＥＯ制御部９を制御して、再生開始ボタンｆ５をモニタＭ上から消去させて、ステップＳ２５１に移行する。
【０１６８】
ステップＳ２６５では、制御部１０は、リスト表示ページを切り替えるための、操作部５のページＵＰ／ＤＯＷＮキーに対して入力操作があったか否かを判断し、入力操作がなかった場合はステップＳ２５１に移行して、入力操作がある場合にはステップＳ２６６に移行する。
【０１６９】
ステップＳ２６６では、制御部１０は、次ページ表示コンテンツの有無を判断し、ある場合にはステップＳ２６７に移行して、ない場合にはステップＳ２５１に移行する。
【０１７０】
ステップＳ２６７では、制御部１０は、ＶＩＤＥＯ制御部９を制御して次ページのコンテンツリストをモニタＭ上に更新表示させてからステップＳ２５１に移行する。
【０１７１】
ステップＳ２６８では、制御部１０は、チェックありのコンテンツがあるか否かを判断して、ある場合にはステップＳ２６９に移行して、ない場合にはステップＳ２５１に移行する。
【０１７２】
ステップＳ２６９では、制御部１０は、例えば図３３の選択画面Ｆ８のように再生開始ボタンｆ５が選択されているか否かを判断して、選択されている場合にはステップＳ２７０に移行して、選択されていない場合にはステップＳ２５１に移行する。
【０１７３】
ステップＳ２７０では、制御部１０は、ＶＩＤＥＯ制御部９を制御して、例えば図３４の選択画面Ｆ９のようにチェックありのコンテンツのみをリスト表示させる。この際の表示順序も、従前に並び替え条件が入力されていない場合には基準の並び替え指示の順で、並び替え条件が入力されている場合には並び替え条件に対応する並び順となる。
【０１７４】
ステップＳ２７１では、制御部１０は、チェックありのコンテンツの総数が所定数を超えているか否かを判断し、超えている場合にはステップＳ２７２に移行して、超えていない場合にはステップＳ２７３に移行する。
【０１７５】
ステップＳ２７２では、制御部１０は、コンテンツリストの先頭から所定数だけコンテンツを絞り込む。
【０１７６】
ステップＳ２７３では、制御部１０は所定数以下となったコンテンツのスキャン再生を開始し、ステップＳ２７４に移行する。
【０１７７】
図３５に示すステップＳ２７４では、制御部１０は、スキャン再生時の１曲あたりの再生時間である所定時間を延長するための延長キーに対して入力操作があったか否かを判断し、入力操作があった場合にはステップＳ２７５に移行して、入力操作がない場合にはステップＳ２７６に移行する。
【０１７８】
ステップＳ２７５では、制御部１０は、所定時間を延長更新してステップＳ２７６に移行する。
【０１７９】
ステップＳ２７６では、制御部１０は、所定時間がタイムアップとなったか否かを判断して、タイムアップした場合にはステップＳ２７８に移行して、タイムアップしていない場合にはステップＳ２７７に移行する。
【０１８０】
ステップＳ２７７では、制御部１０は、スキャン再生対象を次コンテンツに切り替えるためのＳＫＩＰ  ＵＰキーに対して入力操作があったか否かを判断し、入力操作があった場合にはステップＳ２７８に移行して、入力操作がない場合にはステップＳ２８１に移行する。
【０１８１】
ステップＳ２７８では、制御部１０は、絞り込まれたコンテンツリスト中に次のコンテンツがあるか否かを判断し、次のコンテンツがある場合にはステップＳ２７９に移行して、次のコンテンツがない場合にはステップＳ２８０に移行する。
【０１８２】
ステップＳ２７９では、制御部１０は、ＤＩＲ８及びＶＩＤＥＯ制御部９を制御して、次のコンテンツの再生データを再生させて、ステップＳ２７４に移行する。
【０１８３】
ステップＳ２８０では、制御部１０は、ＤＩＲ８及びＶＩＤＥＯ制御部９を制御して、コンテンツリスト中の先頭のコンテンツの再生データを再生させて、ステップＳ２７４に移行する。
【０１８４】
ステップＳ２８１では、制御部１０は、スキャン再生対象を前コンテンツに切り替えるためのＳＫＩＰ  ＤＯＷＮキーに対して入力操作があったか否かを判断し、入力操作があった場合にはステップＳ２８２に移行して、入力操作がない場合にはステップＳ２８４に移行する。
【０１８５】
ステップＳ２８２では、制御部１０は、絞り込まれたコンテンツリスト中に前のコンテンツがあるか否かを判断し、前のコンテンツがある場合にはステップＳ２８３に移行して、前のコンテンツがない場合にはステップＳ２７４に移行する。
【０１８６】
ステップＳ２８３では、制御部１０は、ＤＩＲ８及びＶＩＤＥＯ制御部９を制御して、コンテンツリスト中の前のコンテンツの再生データを再生させて、ステップＳ２７４に移行する。
【０１８７】
ステップＳ２８４では、制御部１０は、ＳＥＲＣＨキーに対して入力操作があったか否かを判断し、入力操作があった場合にはステップＳ２８５に移行して、入力操作がない場合にはステップＳ２８６に移行する。
【０１８８】
ステップＳ２８５では、制御部１０はＶＩＤＥＯ制御部９を制御して、ＳＥＡＲＣＨ表示画面の表示を終了させて、スキャン再生を終了する。
【０１８９】
ステップＳ２８６では、制御部１０は、ＥＮＴＥＲキーに対して入力操作があったか否かを判断し、入力操作がない場合にはステップＳ２８７に移行して、入力操作がある場合にはステップＳ２８８に移行する。
【０１９０】
ステップＳ２８７では、制御部１０はＲＥＴＵＲＮキーに対して入力操作があったか否かを判断し、入力操作がない場合にはステップＳ２７４に移行して、入力操作がある場合にはステップＳ２５１に移行する。
【０１９１】
ステップＳ２８８では、制御部１０はＶＩＤＥＯ制御部９を制御して、ＳＥＡＲＣＨ表示画面の表示を終了させる。
【０１９２】
ステップＳ２８９では、制御部１０はＶＩＤＥＯ制御部９を制御して、現在再生中のコンテンツを先頭から通常再生し、スキャン再生を終了する。通常再生時であるとモニタＭ上には、図３６に示すように再生画面Ｆ１０が表示されることになる。
【０１９３】
次に、コンテンツリスト要求工程について図３７のフローチャートを参照にして説明する。
ステップＳ３０１では、制御部１０は、通信部６を制御してサーバＳにコンテンツリスト要求指示を出力する。
【０１９４】
ステップＳ３０２では、制御部１０は、コンテンツリスト要求指示に基づいてサーバＳからコンテンツリストが送信されているか否かを判断し、送信されている場合にはステップＳ３０３に移行して、送信されていない場合にはステップＳ３０３に移行する。
【０１９５】
ステップＳ３０３では、制御部１０は、ＶＩＤＥＯ制御部９を制御して、コンテンツリストの受信が完了した旨をモニタＭに表示させる。
【０１９６】
ステップＳ３０４では、制御部１０は、サーバＳから送信されたコンテンツリストを通信部６により受信する。
【０１９７】
ステップＳ３０５では、制御部１０は、ＲＡＭに空きエリアがあるか否かを判断して、ある場合にはステップＳ３０６に移行して、ない場合にはステップＳ３０７に移行する。
【０１９８】
ステップＳ３０６では、制御部１０は、受信したコンテンツリストをＲＡＭに記憶させる。
【０１９９】
ステップＳ３０７では、制御部１０は、通信部６を制御してサーバＳにコンテンツリスト送信停止要求を送信する。
【０２００】
ステップＳ３０８では、制御部１０は、通信部６を制御してデータ受信を停止し、コンテンツリスト要求工程を終了する。
【０２０１】
以上のように、第２の実施の形態によれば、コンテンツリストがキーワードにより絞り込まれた後に、再度並び替えによって絞り込まれるので、スキャン再生時の視聴時間が長時間となることを防止でき、検索効率が高められることになる。
【図面の簡単な説明】
【０２０２】
【図１】第１の実施の形態のネットワークシステムを示す説明図である。
【図２】図１のネットワークシステムに備わる再生装置の概略構成を表すブロック図である。
【図３】図１のネットワークシステムに備わるサーバの概略構成を表すブロック図である。
【図４】図２の再生装置の制御工程の概略を表す説明図である。
【図５】図２の再生装置の制御工程を表すフローチャートである。
【図６】図２の再生装置でモニタに表示させる選択画面の一例を表す説明図である。
【図７】図２の再生装置でモニタに表示させる選択画面の一例を表す説明図である。
【図８】図２の再生装置でモニタに表示させる選択画面の一例を表す説明図である。
【図９】図２の再生装置でモニタに表示させる選択画面の一例を表す説明図である。
【図１０】図２の再生装置の制御工程を表すフローチャートである。
【図１１】図２の再生装置の制御工程を表すフローチャートである。
【図１２】図２の再生装置でモニタに表示させる選択画面の一例を表す説明図である。
【図１３】図２の再生装置でモニタに表示させる選択画面の一例を表す説明図である。
【図１４】図２の再生装置でモニタに表示させる選択画面の一例を表す説明図である。
【図１５】図２の再生装置でモニタに表示させる選択画面の一例を表す説明図である。
【図１６】図４の制御工程の変形例を表す説明図である。
【図１７】図１６の制御工程の変形例の続きを表す説明図である。
【図１８】図２の再生装置でモニタに表示させる選択画面の一例を表す説明図である。
【図１９】図２の再生装置でモニタに表示させる選択画面の一例を表す説明図である。
【図２０】図２の再生装置でモニタに表示させる選択画面の一例を表す説明図である。
【図２１】図２の再生装置でモニタに表示させる選択画面の一例を表す説明図である。
【図２２】図２の再生装置でモニタに表示させる選択画面の一例を表す説明図である。
【図２３】第２の実施の形態の再生装置で実行される制御工程を表すフローチャートである。
【図２４】第２の実施の形態の再生装置でモニタに表示させる選択画面の一例を表す説明図である。
【図２５】第２の実施の形態の再生装置でモニタに表示させる選択画面の一例を表す説明図である。
【図２６】第２の実施の形態の再生装置で実行される制御工程を表すフローチャートである。
【図２７】第２の実施の形態の再生装置でモニタに表示させる選択画面の一例を表す説明図である。
【図２８】第２の実施の形態の再生装置でモニタに表示させる選択画面の一例を表す説明図である。
【図２９】第２の実施の形態の再生装置でモニタに表示させる選択画面の一例を表す説明図である。
【図３０】第２の実施の形態の再生装置で実行される制御工程を表すフローチャートである。
【図３１】第２の実施の形態の再生装置でモニタに表示させる選択画面の一例を表す説明図である。
【図３２】第２の実施の形態の再生装置でモニタに表示させる選択画面の一例を表す説明図である。
【図３３】第２の実施の形態の再生装置でモニタに表示させる選択画面の一例を表す説明図である。
【図３４】第２の実施の形態の再生装置でモニタに表示させる選択画面の一例を表す説明図である。
【図３５】第２の実施の形態の再生装置で実行される制御工程を表すフローチャートである。
【図３６】第２の実施の形態の再生装置でモニタに表示させる選択画面の一例を表す説明図である。
【図３７】第２の実施の形態の再生装置で実行される制御工程を表すフローチャートである。
【符号の説明】
【０２０３】
１      ネットワークシステム
２      再生装置
３      サーバ
４      ルータ
５      操作部
６      通信部
７      デコーダ
８      ＤＩＲ（再生部）
９      ＶＩＤＥＯ制御部（再生部）
１０      制御部
１１      表示部
１２      表示制御マイコン
１３      オーディオＤＳＰ
１４      アンプ部
１５      スピーカ
２０      記憶部
２１      通信部
２２      読出部
２３      検出部
２４      制御部
６１      入出力端子
６２      コントローラ
Ｍ      モニタ
Ｓ      サーバ（外部機器）
【図１】
2007241938.tif 000003
【図２】
2007241938.tif 000004
【図３】
2007241938.tif 000005
【図４】
2007241938.tif 000006
【図５】
2007241938.tif 000007
【図６】
2007241938.tif 000008
【図７】
2007241938.tif 000009
【図８】
2007241938.tif 000010
【図９】
2007241938.tif 000011
【図１０】
2007241938.tif 000012
【図１１】
2007241938.tif 000013
【図１２】
2007241938.tif 000014
【図１３】
2007241938.tif 000015
【図１４】
2007241938.tif 000016
【図１５】
2007241938.tif 000017
【図１６】
2007241938.tif 000018
【図１７】
2007241938.tif 000019
【図１８】
2007241938.tif 000020
【図１９】
2007241938.tif 000021
【図２０】
2007241938.tif 000022
【図２１】
2007241938.tif 000023
【図２２】
2007241938.tif 000024
【図２３】
2007241938.tif 000025
【図２４】
2007241938.tif 000026
【図２５】
2007241938.tif 000027
【図２６】
2007241938.tif 000028
【図２７】
2007241938.tif 000029
【図２８】
2007241938.tif 000030
【図２９】
2007241938.tif 000031
【図３０】
2007241938.tif 000032
【図３１】
2007241938.tif 000033
【図３２】
2007241938.tif 000034
【図３３】
2007241938.tif 000035
【図３４】
2007241938.tif 000036
【図３５】
2007241938.tif 000037
【図３６】
2007241938.tif 000038
【図３７】
2007241938.tif 000039